(57)【要約】【課題】本発明はスカイランタンを開示した。【解決手段】ラックを含み、前記ラックは十字形であり、前記ラックの外端にはランプシェードが固定的に設置され、前記ラックの上端面には固定ブロックが固定的に設置され、前記固定ブロックの中には上方に開口した燃焼チャンバが設置され、使用の時に、燃料を前記燃焼チャンバの中に置いて燃焼させ、前記燃焼チャンバの内壁の中には収納溝が設置され、前記収納溝が前記燃焼チャンバと連通しており、本発明はタイミング設定を行うことができ、指定された時間に達した後、燃焼チャンバを自動的に密封でき、それによって燃料が燃えることを停止し、スカイランタンが落ちた後に残された燃料のために火事を起こすことを回避し、しかも、本発明は定位機能を持ち、落ちた後に定位してスカイランタンを回収し、何度も利用でき、環境への汚染を減少する。【選択図】図１
2020182803.tif 000002
【特許請求の範囲】
【請求項１】
正面視で、ラックを含み、前記ラックは十字形であり、前記ラックの外端にはランプシェードが固定的に設置され、前記ラックの上端面には固定ブロックが固定的に設置され、前記固定ブロックの中には上方に開口した燃焼チャンバが設置され、使用の時に、燃料を前記燃焼チャンバの中に置いて燃焼させ、前記燃焼チャンバの内壁の中には収納溝が設置され、前記収納溝が前記燃焼チャンバと連通しており、前記収納溝の中には密封板がスライドできるように設置され、前記密封板と前記収納溝の内壁との間にはばねが連結され、前記ばねが初期状態の時に圧縮されており、前記固定ブロックの中にはぜんまいチャンバが設置され、前記ぜんまいチャンバの内壁には主動軸が回転できるように設置され、前記主動軸の一端が外部空間に伸びており、また前記主動軸の一端には第一回転盤が固定的に設置され、前記ぜんまいチャンバの中にはぜんまい機構が設置され、前記主動軸が前記ぜんまい機構と伝動できるように連結され、前記ぜんまい機構のぜんまい出力軸には第一リールが固定的に設置され、前記第一リールには第一引き紐が巻き付くように設置され、前記ぜんまいチャンバの後壁の中にはラックスライド溝が設置され、前記ラックスライド溝の中にはラックがスライドできるように設置され、前記第一引き紐の下端が前記ラックと固定的に連結され、前記固定ブロックの中には回転チャンバが設置され、前記回転チャンバの内壁の中には親ねじが回転できるように設置され、前記親ねじの一端が前記ぜんまいチャンバの中に伸びており、且つ前記親ねじの一端にはギヤが固定的に設置され、前記ギヤと前記ラックとが噛み合っており、前記回転チャンバの底壁の中には上方に開口したスライド溝が設置され、前記スライド溝の中にはスライドロッドがスライドできるように設置され、前記スライドロッドの片側端面にはテーパーソケットが固定的に設置され、前記テーパーソケットの中にはネジ山チャンバが設置され、前記親ねじと前記ネジ山チャンバとがネジ山によって嵌合され、前記スライドロッドのもう一つ側の端面には二組の挿入ロッドが固定的に設置され、前記回転チャンバの前後内壁の間には中間ブロックが回転できるように設置され、前記中間ブロックの中には上下対称の挿入溝が設置され、前記挿入溝が前記挿入ロッドの方向に開口しており、前記挿入ロッドが前記挿入溝の中に挿入された後に前記中間ブロックの回転を制限し、前記中間ブロックの左側にはリール軸が伝動できるように連結され、前記リール軸には第二リールが固定的に設置され、前記第二リールには第二引き紐が巻き付くように設置され、前記第二引き紐の一端が前記収納溝の中に伸びており、且つ前記密封板と固定的に連結され、初めて使用する時、前記密封板を前記第二引き紐の中に押し込んで前記ばねを圧縮し、前記第一回転盤を回転させることによって前記ぜんまい機構にエネルギーを蓄積させ、また前記ラックを上昇させ、前記第一回転盤の回転の回数を制御することによって前記ラックの復帰時間を制御し、それによって前記挿入ロッドが前記挿入溝から離脱する時間を制御し、前記挿入ロッドが前記挿入溝から離脱した後、前記密封板が前記燃焼チャンバを密封し、それによって燃料の燃焼の持続時間を制御することを実現することを特徴とするスカイランタン。
【請求項２】
前記リール軸の左端が外部空間に伸びており、また前記リール軸の左端には第二回転盤が固定的に設置され、前記中間ブロックの左端面には左方に開口した歯止め溝が設置され、前記歯止め溝の内壁の中には歯止めスライド溝が設置され、前記歯止めスライド溝の中には歯止めがスライドできるように設置され、前記歯止めと前記歯止めスライド溝の頂壁との間には押圧ばねが連結され、前記リール軸の右端が前記歯止め溝の中に伸びており、前記リール軸の右端には歯固定盤が固定的に設置され、前記歯固定盤の外周面には一回りの環状ラックが固定的に設置され、前記環状ラックが前記歯止めと当接しており、前記回転盤を回転させることによって前記密封板が前記収納溝の中に収縮され、また前記歯止めと前記環状ラックとの作用の下で位置を保持し、前記ラックの中には定位機構が設置され、スカイランタンが落ちた後、前記定位機構によって定位を行えることを特徴とする請求項１に記載のスカイランタン。
【請求項３】
前記ランプシェードの中には空気詰めチャンバが設置され、前記空気詰めチャンバの内壁にはチャージングバルブが設置され、本装置は機能が多いため、重量が少し増加され、チャージングバルブによって前記空気詰めチャンバの中にヘリウムガスなどの軽い気体を詰め、スカイランタンを打ち上げるのを補助する作用を果たすことを特徴とする請求項１に記載のスカイランタン。
【発明の詳細な説明】
【技術分野】
【０００１】
本発明は照明ライト分野に関わり、具体的にはスカイランタンである。
【背景技術】
【０００２】
伝統的なスカイランタンは、ランタンとラックによって構成され、ラックには蝋燭や固体アルコールなどの可燃物があり、スカイランタンが落ちた後、残された燃料のために火事を起こしやすく、また、祝日には、打ち上げられたスカイランタンの数が多く、使用されたスカイランタンは環境を汚染し、上記の問題を解決するため、本装置を提出した。
【先行技術文献】
【特許文献】
【０００３】
【特許文献１】中国特許出願公開第１０９１１４４３８号明細書
【発明の概要】
【発明が解決しようとする課題】
【０００４】
上記の技術不足に対して、本発明はスカイランタンを開示し、それは上記欠点を解消できる。
【課題を解決するための手段】
【０００５】
本発明装置のスカイランタンは、ラックを含み、前記ラックは十字形であり、前記ラックの外端にはランプシェードが固定的に設置され、前記ラックの上端面には固定ブロックが固定的に設置され、前記固定ブロックの中には上方に開口した燃焼チャンバが設置され、使用の時に、燃料を前記燃焼チャンバの中に置いて燃焼させ、前記燃焼チャンバの内壁の中には収納溝が設置され、前記収納溝が前記燃焼チャンバと連通しており、前記収納溝の中には密封板がスライドできるように設置され、前記密封板と前記収納溝の内壁との間にはばねが連結され、前記ばねが初期状態の時に圧縮されており、前記固定ブロックの中にはぜんまいチャンバが設置され、前記ぜんまいチャンバの内壁には主動軸が回転できるように設置され、前記主動軸の一端が外部空間に伸びており、また前記主動軸の一端には第一回転盤が固定的に設置され、前記ぜんまいチャンバの中にはぜんまい機構が設置され、前記主動軸が前記ぜんまい機構と伝動できるように連結され、前記ぜんまい機構のぜんまい出力軸には第一リールが固定的に設置され、前記第一リールには第一引き紐が巻き付くように設置され、前記ぜんまいチャンバの後壁の中にはラックスライド溝が設置され、前記ラックスライド溝の中にはラックがスライドできるように設置され、前記第一引き紐の下端が前記ラックと固定的に連結され、前記固定ブロックの中には回転チャンバが設置され、前記回転チャンバの内壁の中には親ねじが回転できるように設置され、前記親ねじの一端が前記ぜんまいチャンバの中に伸びており、且つ前記親ねじの一端にはギヤが固定的に設置され、前記ギヤと前記ラックとが噛み合っており、前記回転チャンバの底壁の中には上方に開口したスライド溝が設置され、前記スライド溝の中にはスライドロッドがスライドできるように設置され、前記スライドロッドの片側端面にはテーパーソケットが固定的に設置され、前記テーパーソケットの中にはネジ山チャンバが設置され、前記親ねじと前記ネジ山チャンバとがネジ山によって嵌合され、前記スライドロッドのもう一つ側の端面には二組の挿入ロッドが固定的に設置され、前記回転チャンバの前後内壁の間には中間ブロックが回転できるように設置され、前記中間ブロックの中には上下対称の挿入溝が設置され、前記挿入溝が前記挿入ロッドの方向に開口しており、前記挿入ロッドが前記挿入溝の中に挿入された後に前記中間ブロックの回転を制限し、前記中間ブロックの左側にはリール軸が伝動できるように連結され、前記リール軸には第二リールが固定的に設置され、前記第二リールには第二引き紐が巻き付くように設置され、前記第二引き紐の一端が前記収納溝の中に伸びており、且つ前記密封板と固定的に連結され、初めて使用する時、前記密封板を前記第二引き紐の中に押し込んで前記ばねを圧縮し、前記第一回転盤を回転させることによって前記ぜんまい機構にエネルギーを蓄積させ、また前記ラックを上昇させ、前記第一回転盤の回転の回数を制御することによって前記ラックの復帰時間を制御し、それによって前記挿入ロッドが前記挿入溝から離脱する時間を制御し、前記挿入ロッドが前記挿入溝から離脱した後、前記密封板が前記燃焼チャンバを密封し、それによって燃料の燃焼の持続時間を制御することを実現し、スカイランタンが落ちた後に残された燃料のために火事を起こすことを回避する。
【０００６】
好ましくは、前記リール軸の左端が外部空間に伸びており、また前記リール軸の左端には第二回転盤が固定的に設置され、前記中間ブロックの左端面には左方に開口した歯止め溝が設置され、前記歯止め溝の内壁の中には歯止めスライド溝が設置され、前記歯止めスライド溝の中には歯止めがスライドできるように設置され、前記歯止めと前記歯止めスライド溝の頂壁との間には押圧ばねが連結され、前記リール軸の右端が前記歯止め溝の中に伸びており、前記リール軸の右端には歯固定盤が固定的に設置され、前記歯固定盤の外周面には一回りの環状ラックが固定的に設置され、前記環状ラックが前記歯止めと当接しており、前記回転盤を回転させることによって前記密封板が前記収納溝の中に収縮され、また前記歯止めと前記環状ラックとの作用の下で位置を保持し、前記ラックの中には定位機構が設置され、前記定位機構はＧＰＳなどであり、スカイランタンが落ちた後、前記定位機構によって定位を行って更にスカイランタンを回収でき、それによって何度も利用でき、環境への汚染も減少できる。
【０００７】
好ましくは、前記ランプシェードの中には空気詰めチャンバが設置され、前記空気詰めチャンバの内壁にはチャージングバルブが設置され、本装置は機能が多いため、重量が少し増加され、チャージングバルブによって前記空気詰めチャンバの中にヘリウムガスなどの軽い気体を詰め、スカイランタンを打ち上げるのを補助する作用を果たす。
【発明の効果】
【０００８】
上記により、本発明はタイミング設定を行うことができ、指定された時間に達した後、燃焼チャンバを自動的に密封でき、それによって燃料が燃えることを停止し、スカイランタンが落ちた後に残された燃料のために火事を起こすことを回避し、しかも、本発明は定位機能を持ち、落ちた後に定位してスカイランタンを回収し、何度も利用でき、環境への汚染を減少する。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のスカイランタンの全体構成概略図
【図２】図２は図１の中のＡのところの構成概略図
【図３】図３は図２の中のＢ―Ｂのところの構成概略図
【発明を実施するための形態】
【００１１】
下記に、附図の簡単な説明と実施例を合わせて本発明についてさらなる説明を行い、本発明の方式は以下の実施例を含むが、以下の実施例に限定されたものではない。
【００１２】
図１〜３に示すように、本発明装置のスカイランタンは、ラック１４を含み、前記ラック１４は十字形であり、前記ラック１４の外端にはランプシェード１０が固定的に設置され、前記ラック１４の上端面には固定ブロック４０が固定的に設置され、前記固定ブロック４０の中には上方に開口した燃焼チャンバ３９が設置され、使用の時に、燃料を前記燃焼チャンバ３９の中に置いて燃焼させ、前記燃焼チャンバ３９の内壁の中には収納溝３８が設置され、前記収納溝３８が前記燃焼チャンバ３９と連通しており、前記収納溝３８の中には密封板３７がスライドできるように設置され、前記密封板３７と前記収納溝３８の内壁との間にはばね３５が連結され、前記ばね３５が初期状態の時に圧縮されており、前記固定ブロック４０の中にはぜんまいチャンバ２７が設置され、前記ぜんまいチャンバ２７の内壁には主動軸２８が回転できるように設置され、前記主動軸２８の一端が外部空間に伸びており、また前記主動軸２８の一端には第一回転盤４９が固定的に設置され、前記ぜんまいチャンバ２７の中にはぜんまい機構２９が設置され、前記主動軸２８が前記ぜんまい機構２９と伝動できるように連結され、前記ぜんまい機構２９のぜんまい出力軸３１には第一リール３０が固定的に設置され、前記第一リール３０には第一引き紐３２が巻き付くように設置され、前記ぜんまいチャンバ２７の後壁の中にはラックスライド溝２６が設置され、前記ラックスライド溝２６の中にはラック２５がスライドできるように設置され、前記第一引き紐３２の下端が前記ラック２５と固定的に連結され、前記固定ブロック４０の中には回転チャンバ５０が設置され、前記回転チャンバ５０の内壁の中には親ねじ３３が回転できるように設置され、前記親ねじ３３の一端が前記ぜんまいチャンバ２７の中に伸びており、且つ前記親ねじ３３の一端にはギヤ２４が固定的に設置され、前記ギヤ２４と前記ラック２５とが噛み合っており、前記回転チャンバ５０の底壁の中には上方に開口したスライド溝２２が設置され、前記スライド溝２２の中にはスライドロッド２１がスライドできるように設置され、前記スライドロッド２１の片側端面にはテーパーソケット２３が固定的に設置され、前記テーパーソケット２３の中にはネジ山チャンバ３４が設置され、前記親ねじ３３と前記ネジ山チャンバ３４とがネジ山によって嵌合され、前記スライドロッド２１のもう一つ側の端面には二組の挿入ロッド２０が固定的に設置され、前記回転チャンバ５０の前後内壁の間には中間ブロック１８が回転できるように設置され、前記中間ブロック１８の中には上下対称の挿入溝１９が設置され、前記挿入溝１９が前記挿入ロッド２０の方向に開口しており、前記挿入ロッド２０が前記挿入溝１９の中に挿入された後に前記中間ブロック１８の回転を制限し、前記中間ブロック１８の左側にはリール軸４１が伝動できるように連結され、前記リール軸４１には第二リール１６が固定的に設置され、前記第二リール１６には第二引き紐３６が巻き付くように設置され、前記第二引き紐３６の一端が前記収納溝３８の中に伸びており、且つ前記密封板３７と固定的に連結され、初めて使用する時、前記密封板３７を前記第二引き紐３６の中に押し込んで前記ばね３５を圧縮し、前記第一回転盤４９を回転させることによって前記ぜんまい機構２９にエネルギーを蓄積させ、また前記ラック２５を上昇させ、前記第一回転盤４９の回転の回数を制御することによって前記ラック２５の復帰時間を制御し、それによって前記挿入ロッド２０が前記挿入溝１９から離脱する時間を制御し、前記挿入ロッド２０が前記挿入溝１９から離脱した後、前記密封板３７が前記燃焼チャンバ３９を密封し、それによって燃料の燃焼の持続時間を制御することを実現し、スカイランタンが落ちた後に残された燃料のために火事を起こすことを回避する。
【００１３】
有益なように、前記リール軸４１の左端が外部空間に伸びており、また前記リール軸４１の左端には第二回転盤４２が固定的に設置され、前記中間ブロック１８の左端面には左方に開口した歯止め溝１７が設置され、前記歯止め溝１７の内壁の中には歯止めスライド溝４４が設置され、前記歯止めスライド溝４４の中には歯止め４６がスライドできるように設置され、前記歯止め４６と前記歯止めスライド溝４４の頂壁との間には押圧ばね４３が連結され、前記リール軸４１の右端が前記歯止め溝１７の中に伸びており、前記リール軸４１の右端には歯固定盤４７が固定的に設置され、前記歯固定盤４７の外周面には一回りの環状ラック４８が固定的に設置され、前記環状ラック４８が前記歯止め４６と当接しており、前記回転盤４２を回転させることによって前記密封板３７が前記収納溝３８の中に収縮され、また前記歯止め４６と前記環状ラック４８との作用の下で位置を保持し、前記ラック１４の中には定位機構１３が設置され、前記定位機構１３はＧＰＳなどであり、スカイランタンが落ちた後、前記定位機構１３によって定位を行って更にスカイランタンを回収でき、それによって何度も利用でき、環境への汚染も減少できる。
【００１４】
有益なように、前記ランプシェード１０の中には空気詰めチャンバ１１が設置され、前記空気詰めチャンバ１１の内壁にはチャージングバルブ１２が設置され、本装置は機能が多いため、重量が少し増加され、チャージングバルブ１２によって前記空気詰めチャンバ１１の中にヘリウムガスなどの軽い気体を詰め、スカイランタンを打ち上げるのを補助する作用を果たす。
【００１５】
上記のスカイランタンの実現方法は、以下のステップを含む：
【００１６】
第一回転盤４９を回転させて主動軸２８によってぜんまい機構２９に力を蓄積させ、ラック２５が上昇してギヤ２４を回転させ、ギヤ２４が親ねじ３３を回連動させてテーパーソケット２３を左方へ運動させて挿入ロッド２０を挿入溝１９の中に挿し込み、第二回転盤４２を回転させて第二リール１６と、第二引き紐３６とによって密封板３７を収納溝３８の中に収納し、またばね３５を圧縮し、燃料を燃焼チャンバ３９の中に置いて燃え、この時、スカイランタンを打ち上げることができ、ぜんまい機構２９の弾性が完全に放出された後、ラック２５が復帰してギヤ２４を回転させ、それによって挿入ロッド２０が挿入溝１９の中から引き出し、密封板３７がばね３５の作用の下で燃焼チャンバ３９を密封し、燃焼チャンバ３９の中の燃料を燃焼させることを停止し、この時、スカイランタンが落ち始め、落ちた後に定位機構１３によって定位を行ってスカイランタンを回収することができる。
【００１７】
上記により、本発明はタイミング設定を行うことができ、指定された時間に達した後、燃焼チャンバを自動的に密封でき、それによって燃料が燃えることを停止し、スカイランタンが落ちた後に残された燃料のために火事を起こすことを回避し、しかも、本発明は定位機能を持ち、落ちた後に定位してスカイランタンを回収し、何度も利用でき、環境への汚染を減少する。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020182803.tif 000003
【図２】
2020182803.tif 000004
【図３】
2020182803.tif 000005
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
ラックを含み、前記ラックは十字形であり、前記ラックの外端にはランプシェードが固定的に設置され、前記ラックの上端面には固定ブロックが固定的に設置され、前記固定ブロックの中には上方に開口した燃焼チャンバが設置され、使用の時に、燃料を前記燃焼チャンバの中に置いて燃焼させ、前記燃焼チャンバの内壁の中には収納溝が設置され、前記収納溝が前記燃焼チャンバと連通しており、前記収納溝の中には密封板がスライドできるように設置され、前記密封板と前記収納溝の内壁との間にはばねが連結され、前記ばねが初期状態の時に圧縮されており、前記固定ブロックの中にはぜんまいチャンバが設置され、前記ぜんまいチャンバの内壁には主動軸が回転できるように設置され、前記主動軸の一端が外部空間に伸びており、また前記主動軸の一端には第一回転盤が固定的に設置され、前記ぜんまいチャンバの中にはぜんまい機構が設置され、前記主動軸が前記ぜんまい機構と伝動できるように連結され、前記ぜんまい機構のぜんまい出力軸には第一リールが固定的に設置され、前記第一リールには第一引き紐が巻き付くように設置され、前記ぜんまいチャンバの後壁の中にはラックスライド溝が設置され、前記ラックスライド溝の中にはラックがスライドできるように設置され、前記第一引き紐の下端が前記ラックと固定的に連結され、前記固定ブロックの中には回転チャンバが設置され、前記回転チャンバの内壁の中には親ねじが回転できるように設置され、前記親ねじの一端が前記ぜんまいチャンバの中に伸びており、且つ前記親ねじの一端にはギヤが固定的に設置され、前記ギヤと前記ラックとが噛み合っており、前記回転チャンバの底壁の中には上方に開口したスライド溝が設置され、前記スライド溝の中にはスライドロッドがスライドできるように設置され、前記スライドロッドの片側端面にはテーパーソケットが固定的に設置され、前記テーパーソケットの中にはネジ山チャンバが設置され、前記親ねじと前記ネジ山チャンバとがネジ山によって嵌合され、前記スライドロッドのもう一つ側の端面には二組の挿入ロッドが固定的に設置され、前記回転チャンバの前後内壁の間には中間ブロックが回転できるように設置され、前記中間ブロックの中には上下対称の挿入溝が設置され、前記挿入溝が前記挿入ロッドの方向に開口しており、前記挿入ロッドが前記挿入溝の中に挿入された後に前記中間ブロックの回転を制限し、前記中間ブロックの左側にはリール軸が伝動できるように連結され、前記リール軸には第二リールが固定的に設置され、前記第二リールには第二引き紐が巻き付くように設置され、前記第二引き紐の一端が前記収納溝の中に伸びており、且つ前記密封板と固定的に連結され、前記第一回転盤を回転させることによって前記ぜんまい機構にエネルギーを蓄積させ、また前記ラックを上昇させ、前記第一回転盤の回転の回数を制御することによって前記ラックの復帰時間を制御し、それによって前記挿入ロッドが前記挿入溝から離脱する時間を制御し、前記挿入ロッドが前記挿入溝から離脱した後、前記密封板が前記燃焼チャンバを密封し、それによって燃料の燃焼の持続時間を制御することを実現することを特徴とするスカイランタン。
【請求項２】
前記リール軸の左端が外部空間に伸びており、また前記リール軸の左端には第二回転盤が固定的に設置され、前記中間ブロックの左端面には左方に開口した歯止め溝が設置され、前記歯止め溝の内壁の中には歯止めスライド溝が設置され、前記歯止めスライド溝の中には歯止めがスライドできるように設置され、前記歯止めと前記歯止めスライド溝の頂壁との間には押圧ばねが連結され、前記リール軸の右端が前記歯止め溝の中に伸びており、前記リール軸の右端には歯固定盤が固定的に設置され、前記歯固定盤の外周面には一回りの環状ラックが固定的に設置され、前記環状ラックが前記歯止めと当接しており、前記回転盤を回転させることによって前記密封板が前記収納溝の中に移動し、また前記歯止めと前記環状ラックとの作用の下で位置を保持し、前記ラックの中には定位機構が設置され、スカイランタンが落ちた後、前記定位機構によって定位を行えることを特徴とする請求項１に記載のスカイランタン。
【請求項３】
前記ランプシェードの中には空気詰めチャンバが設置され、前記空気詰めチャンバの内壁にはチャージングバルブが設置され、本願発明は機能が多いため、重量が少し増加され、チャージングバルブによって前記空気詰めチャンバの中にヘリウムガスなどの軽い気体を詰め、スカイランタンを打ち上げるのを補助する作用を果たすことを特徴とする請求項１に記載のスカイランタン。
【手続補正２】
【補正対象書類名】明細書
【補正対象項目名】全文
【補正方法】変更
【補正の内容】
【発明の詳細な説明】
【技術分野】
【０００１】
本発明は照明ライト分野に関わり、具体的にはスカイランタンである。
【背景技術】
【０００２】
伝統的なスカイランタンは、ランタンとラックによって構成され、ラックには蝋燭や固体アルコールなどの可燃物があり、スカイランタンが落ちた後、残された燃料のために火事を起こしやすく、また、祝日には、打ち上げられたスカイランタンの数が多く、使用されたスカイランタンは環境を汚染し、上記の問題を解決するため、本願発明を提出した。
【先行技術文献】
【特許文献】
【０００３】
【特許文献１】中国特許出願公開第１０９１１４４３８号明細書
【発明の概要】
【発明が解決しようとする課題】
【０００４】
上記の技術不足に対して、本発明はスカイランタンを開示し、それは上記欠点を解消できる。
【課題を解決するための手段】
【０００５】
本発明装置のスカイランタンは、ラックを含み、前記ラックは十字形であり、前記ラックの外端にはランプシェードが固定的に設置され、前記ラックの上端面には固定ブロックが固定的に設置され、前記固定ブロックの中には上方に開口した燃焼チャンバが設置され、使用の時に、燃料を前記燃焼チャンバの中に置いて燃焼させ、前記燃焼チャンバの内壁の中には収納溝が設置され、前記収納溝が前記燃焼チャンバと連通しており、前記収納溝の中には密封板がスライドできるように設置され、前記密封板と前記収納溝の内壁との間にはばねが連結され、前記ばねが初期状態の時に圧縮されており、前記固定ブロックの中にはぜんまいチャンバが設置され、前記ぜんまいチャンバの内壁には主動軸が回転できるように設置され、前記主動軸の一端が外部空間に伸びており、また前記主動軸の一端には第一回転盤が固定的に設置され、前記ぜんまいチャンバの中にはぜんまい機構が設置され、前記主動軸が前記ぜんまい機構と伝動できるように連結され、前記ぜんまい機構のぜんまい出力軸には第一リールが固定的に設置され、前記第一リールには第一引き紐が巻き付くように設置され、前記ぜんまいチャンバの後壁の中にはラックスライド溝が設置され、前記ラックスライド溝の中にはラックがスライドできるように設置され、前記第一引き紐の下端が前記ラックと固定的に連結され、前記固定ブロックの中には回転チャンバが設置され、前記回転チャンバの内壁の中には親ねじが回転できるように設置され、前記親ねじの一端が前記ぜんまいチャンバの中に伸びており、且つ前記親ねじの一端にはギヤが固定的に設置され、前記ギヤと前記ラックとが噛み合っており、前記回転チャンバの底壁の中には上方に開口したスライド溝が設置され、前記スライド溝の中にはスライドロッドがスライドできるように設置され、前記スライドロッドの片側端面にはテーパーソケットが固定的に設置され、前記テーパーソケットの中にはネジ山チャンバが設置され、前記親ねじと前記ネジ山チャンバとがネジ山によって嵌合され、前記スライドロッドのもう一つ側の端面には二組の挿入ロッドが固定的に設置され、前記回転チャンバの前後内壁の間には中間ブロックが回転できるように設置され、前記中間ブロックの中には上下対称の挿入溝が設置され、前記挿入溝が前記挿入ロッドの方向に開口しており、前記挿入ロッドが前記挿入溝の中に挿入された後に前記中間ブロックの回転を制限し、前記中間ブロックの左側にはリール軸が伝動できるように連結され、前記リール軸には第二リールが固定的に設置され、前記第二リールには第二引き紐が巻き付くように設置され、前記第二引き紐の一端が前記収納溝の中に伸びており、且つ前記密封板と固定的に連結され、前記第一回転盤を回転させることによって前記ぜんまい機構にエネルギーを蓄積させ、また前記ラックを上昇させ、前記第一回転盤の回転の回数を制御することによって前記ラックの復帰時間を制御し、それによって前記挿入ロッドが前記挿入溝から離脱する時間を制御し、前記挿入ロッドが前記挿入溝から離脱した後、前記密封板が前記燃焼チャンバを密封し、それによって燃料の燃焼の持続時間を制御することを実現し、スカイランタンが落ちた後に残された燃料のために火事を起こすことを回避する。
【０００６】
好ましくは、前記リール軸の左端が外部空間に伸びており、また前記リール軸の左端には第二回転盤が固定的に設置され、前記中間ブロックの左端面には左方に開口した歯止め溝が設置され、前記歯止め溝の内壁の中には歯止めスライド溝が設置され、前記歯止めスライド溝の中には歯止めがスライドできるように設置され、前記歯止めと前記歯止めスライド溝の頂壁との間には押圧ばねが連結され、前記リール軸の右端が前記歯止め溝の中に伸びており、前記リール軸の右端には歯固定盤が固定的に設置され、前記歯固定盤の外周面には一回りの環状ラックが固定的に設置され、前記環状ラックが前記歯止めと当接しており、前記回転盤を回転させることによって前記密封板が前記収納溝の中に移動し、また前記歯止めと前記環状ラックとの作用の下で位置を保持し、前記ラックの中には定位機構が設置され、前記定位機構はＧＰＳなどであり、スカイランタンが落ちた後、前記定位機構によって定位を行って更にスカイランタンを回収でき、それによって何度も利用でき、環境への汚染も減少できる。
【０００７】
好ましくは、前記ランプシェードの中には空気詰めチャンバが設置され、前記空気詰めチャンバの内壁にはチャージングバルブが設置され、本願発明は機能が多いため、重量が少し増加され、チャージングバルブによって前記空気詰めチャンバの中にヘリウムガスなどの軽い気体を詰め、スカイランタンを打ち上げるのを補助する作用を果たす。
【発明の効果】
【０００８】
上記により、本発明はタイミング設定を行うことができ、指定された時間に達した後、燃焼チャンバを自動的に密封でき、それによって燃料が燃えることを停止し、スカイランタンが落ちた後に残された燃料のために火事を起こすことを回避し、しかも、本発明は定位機能を持ち、落ちた後に定位してスカイランタンを回収し、何度も利用でき、環境への汚染を減少する。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のスカイランタンの全体構成概略図
【図２】図２は図１の中のＡのところの構成概略図
【図３】図３は図２の中のＢ―Ｂのところの構成概略図
【発明を実施するための形態】
【００１１】
下記に、附図の簡単な説明と実施例を合わせて本発明についてさらなる説明を行い、本発明の方式は以下の実施例を含むが、以下の実施例に限定されたものではない。
【００１２】
図１〜３に示すように、本発明装置のスカイランタンは、ラック１４を含み、前記ラック１４は十字形であり、前記ラック１４の外端にはランプシェード１０が固定的に設置され、前記ラック１４の上端面には固定ブロック４０が固定的に設置され、前記固定ブロック４０の中には上方に開口した燃焼チャンバ３９が設置され、使用の時に、燃料を前記燃焼チャンバ３９の中に置いて燃焼させ、前記燃焼チャンバ３９の内壁の中には収納溝３８が設置され、前記収納溝３８が前記燃焼チャンバ３９と連通しており、前記収納溝３８の中には密封板３７がスライドできるように設置され、前記密封板３７と前記収納溝３８の内壁との間にはばね３５が連結され、前記ばね３５が初期状態の時に圧縮されており、前記固定ブロック４０の中にはぜんまいチャンバ２７が設置され、前記ぜんまいチャンバ２７の内壁には主動軸２８が回転できるように設置され、前記主動軸２８の一端が外部空間に伸びており、また前記主動軸２８の一端には第一回転盤４９が固定的に設置され、前記ぜんまいチャンバ２７の中にはぜんまい機構２９が設置され、前記主動軸２８が前記ぜんまい機構２９と伝動できるように連結され、前記ぜんまい機構２９のぜんまい出力軸３１には第一リール３０が固定的に設置され、前記第一リール３０には第一引き紐３２が巻き付くように設置され、前記ぜんまいチャンバ２７の後壁の中にはラックスライド溝２６が設置され、前記ラックスライド溝２６の中にはラック２５がスライドできるように設置され、前記第一引き紐３２の下端が前記ラック２５と固定的に連結され、前記固定ブロック４０の中には回転チャンバ５０が設置され、前記回転チャンバ５０の内壁の中には親ねじ３３が回転できるように設置され、前記親ねじ３３の一端が前記ぜんまいチャンバ２７の中に伸びており、且つ前記親ねじ３３の一端にはギヤ２４が固定的に設置され、前記ギヤ２４と前記ラック２５とが噛み合っており、前記回転チャンバ５０の底壁の中には上方に開口したスライド溝２２が設置され、前記スライド溝２２の中にはスライドロッド２１がスライドできるように設置され、前記スライドロッド２１の片側端面にはテーパーソケット２３が固定的に設置され、前記テーパーソケット２３の中にはネジ山チャンバ３４が設置され、前記親ねじ３３と前記ネジ山チャンバ３４とがネジ山によって嵌合され、前記スライドロッド２１のもう一つ側の端面には二組の挿入ロッド２０が固定的に設置され、前記回転チャンバ５０の前後内壁の間には中間ブロック１８が回転できるように設置され、前記中間ブロック１８の中には上下対称の挿入溝１９が設置され、前記挿入溝１９が前記挿入ロッド２０の方向に開口しており、前記挿入ロッド２０が前記挿入溝１９の中に挿入された後に前記中間ブロック１８の回転を制限し、前記中間ブロック１８の左側にはリール軸４１が伝動できるように連結され、前記リール軸４１には第二リール１６が固定的に設置され、前記第二リール１６には第二引き紐３６が巻き付くように設置され、前記第二引き紐３６の一端が前記収納溝３８の中に伸びており、且つ前記密封板３７と固定的に連結され、前記第一回転盤４９を回転させることによって前記ぜんまい機構２９にエネルギーを蓄積させ、また前記ラック２５を上昇させ、前記第一回転盤４９の回転の回数を制御することによって前記ラック２５の復帰時間を制御し、それによって前記挿入ロッド２０が前記挿入溝１９から離脱する時間を制御し、前記挿入ロッド２０が前記挿入溝１９から離脱した後、前記密封板３７が前記燃焼チャンバ３９を密封し、それによって燃料の燃焼の持続時間を制御することを実現し、スカイランタンが落ちた後に残された燃料のために火事を起こすことを回避する。
【００１３】
有益なように、前記リール軸４１の左端が外部空間に伸びており、また前記リール軸４１の左端には第二回転盤４２が固定的に設置され、前記中間ブロック１８の左端面には左方に開口した歯止め溝１７が設置され、前記歯止め溝１７の内壁の中には歯止めスライド溝４４が設置され、前記歯止めスライド溝４４の中には歯止め４６がスライドできるように設置され、前記歯止め４６と前記歯止めスライド溝４４の頂壁との間には押圧ばね４３が連結され、前記リール軸４１の右端が前記歯止め溝１７の中に伸びており、前記リール軸４１の右端には歯固定盤４７が固定的に設置され、前記歯固定盤４７の外周面には一回りの環状ラック４８が固定的に設置され、前記環状ラック４８が前記歯止め４６と当接しており、前記回転盤４２を回転させることによって前記密封板３７が前記収納溝３８の中に移動し、また前記歯止め４６と前記環状ラック４８との作用の下で位置を保持し、前記ラック１４の中には定位機構１３が設置され、前記定位機構１３はＧＰＳなどであり、スカイランタンが落ちた後、前記定位機構１３によって定位を行って更にスカイランタンを回収でき、それによって何度も利用でき、環境への汚染も減少できる。
【００１４】
有益なように、前記ランプシェード１０の中には空気詰めチャンバ１１が設置され、前記空気詰めチャンバ１１の内壁にはチャージングバルブ１２が設置され、本願発明は機能が多いため、重量が少し増加され、チャージングバルブ１２によって前記空気詰めチャンバ１１の中にヘリウムガスなどの軽い気体を詰め、スカイランタンを打ち上げるのを補助する作用を果たす。
【００１５】
上記のスカイランタンの実現方法は、以下のステップを含む：
【００１６】
第一回転盤４９を回転させて主動軸２８によってぜんまい機構２９に力を蓄積させ、ラック２５が上昇してギヤ２４を回転させ、ギヤ２４が親ねじ３３を回連動させてテーパーソケット２３を左方へ運動させて挿入ロッド２０を挿入溝１９の中に挿し込み、第二回転盤４２を回転させて第二リール１６と、第二引き紐３６とによって密封板３７を収納溝３８の中に収納し、またばね３５を圧縮し、燃料を燃焼チャンバ３９の中に置いて燃え、この時、スカイランタンを打ち上げることができ、ぜんまい機構２９の弾性が完全に放出された後、ラック２５が復帰してギヤ２４を回転させ、それによって挿入ロッド２０が挿入溝１９の中から引き出し、密封板３７がばね３５の作用の下で燃焼チャンバ３９を密封し、燃焼チャンバ３９の中の燃料を燃焼させることを停止し、この時、スカイランタンが落ち始め、落ちた後に定位機構１３によって定位を行ってスカイランタンを回収することができる。
【００１７】
上記により、本発明はタイミング設定を行うことができ、指定された時間に達した後、燃焼チャンバを自動的に密封でき、それによって燃料が燃えることを停止し、スカイランタンが落ちた後に残された燃料のために火事を起こすことを回避し、しかも、本発明は定位機能を持ち、落ちた後に定位してスカイランタンを回収し、何度も利用でき、環境への汚染を減少する。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【手続補正書】
【提出日】令和2年3月12日(2020.3.12)
【手続補正１】
【補正対象書類名】特許請求の範囲
【補正対象項目名】請求項３
【補正方法】変更
【補正の内容】
【請求項３】
前記ランプシェードの中には空気詰めチャンバが設置され、前記空気詰めチャンバの内壁にはチャージングバルブが設置され、チャージングバルブによって前記空気詰めチャンバの中にヘリウムガスなどの軽い気体を詰め、スカイランタンを打ち上げるのを補助する作用を果たすことを特徴とする請求項１に記載のスカイランタン。
【手続補正２】
【補正対象書類名】明細書
【補正対象項目名】全文
【補正方法】変更
【補正の内容】
【発明の詳細な説明】
【技術分野】
【０００１】
本発明は照明ライト分野に関わり、具体的にはスカイランタンである。
【背景技術】
【０００２】
伝統的なスカイランタンは、ランタンとラックによって構成され、ラックには蝋燭や固体アルコールなどの可燃物があり、スカイランタンが落ちた後、残された燃料のために火事を起こしやすく、また、祝日には、打ち上げられたスカイランタンの数が多く、使用されたスカイランタンは環境を汚染し、上記の問題を解決するため、本装置を提出した。
【先行技術文献】
【特許文献】
【０００３】
【特許文献１】中国特許出願公開第１０９１１４４３８号明細書
【発明の概要】
【発明が解決しようとする課題】
【０００４】
上記の技術不足に対して、本発明はスカイランタンを開示し、それは上記欠点を解消できる。
【課題を解決するための手段】
【０００５】
本発明装置のスカイランタンは、ラックを含み、前記ラックは十字形であり、前記ラックの外端にはランプシェードが固定的に設置され、前記ラックの上端面には固定ブロックが固定的に設置され、前記固定ブロックの中には上方に開口した燃焼チャンバが設置され、使用の時に、燃料を前記燃焼チャンバの中に置いて燃焼させ、前記燃焼チャンバの内壁の中には収納溝が設置され、前記収納溝が前記燃焼チャンバと連通しており、前記収納溝の中には密封板がスライドできるように設置され、前記密封板と前記収納溝の内壁との間にはばねが連結され、前記ばねが初期状態の時に圧縮されており、前記固定ブロックの中にはぜんまいチャンバが設置され、前記ぜんまいチャンバの内壁には主動軸が回転できるように設置され、前記主動軸の一端が外部空間に伸びており、また前記主動軸の一端には第一回転盤が固定的に設置され、前記ぜんまいチャンバの中にはぜんまい機構が設置され、前記主動軸が前記ぜんまい機構と伝動できるように連結され、前記ぜんまい機構のぜんまい出力軸には第一リールが固定的に設置され、前記第一リールには第一引き紐が巻き付くように設置され、前記ぜんまいチャンバの後壁の中にはラックスライド溝が設置され、前記ラックスライド溝の中にはラックがスライドできるように設置され、前記第一引き紐の下端が前記ラックと固定的に連結され、前記固定ブロックの中には回転チャンバが設置され、前記回転チャンバの内壁の中には親ねじが回転できるように設置され、前記親ねじの一端が前記ぜんまいチャンバの中に伸びており、且つ前記親ねじの一端にはギヤが固定的に設置され、前記ギヤと前記ラックとが噛み合っており、前記回転チャンバの底壁の中には上方に開口したスライド溝が設置され、前記スライド溝の中にはスライドロッドがスライドできるように設置され、前記スライドロッドの片側端面にはテーパーソケットが固定的に設置され、前記テーパーソケットの中にはネジ山チャンバが設置され、前記親ねじと前記ネジ山チャンバとがネジ山によって嵌合され、前記スライドロッドのもう一つ側の端面には二組の挿入ロッドが固定的に設置され、前記回転チャンバの前後内壁の間には中間ブロックが回転できるように設置され、前記中間ブロックの中には上下対称の挿入溝が設置され、前記挿入溝が前記挿入ロッドの方向に開口しており、前記挿入ロッドが前記挿入溝の中に挿入された後に前記中間ブロックの回転を制限し、前記中間ブロックの左側にはリール軸が伝動できるように連結され、前記リール軸には第二リールが固定的に設置され、前記第二リールには第二引き紐が巻き付くように設置され、前記第二引き紐の一端が前記収納溝の中に伸びており、且つ前記密封板と固定的に連結され、前記第一回転盤を回転させることによって前記ぜんまい機構にエネルギーを蓄積させ、また前記ラックを上昇させ、前記第一回転盤の回転の回数を制御することによって前記ラックの復帰時間を制御し、それによって前記挿入ロッドが前記挿入溝から離脱する時間を制御し、前記挿入ロッドが前記挿入溝から離脱した後、前記密封板が前記燃焼チャンバを密封し、それによって燃料の燃焼の持続時間を制御することを実現し、スカイランタンが落ちた後に残された燃料のために火事を起こすことを回避する。
【０００６】
好ましくは、前記リール軸の左端が外部空間に伸びており、また前記リール軸の左端には第二回転盤が固定的に設置され、前記中間ブロックの左端面には左方に開口した歯止め溝が設置され、前記歯止め溝の内壁の中には歯止めスライド溝が設置され、前記歯止めスライド溝の中には歯止めがスライドできるように設置され、前記歯止めと前記歯止めスライド溝の頂壁との間には押圧ばねが連結され、前記リール軸の右端が前記歯止め溝の中に伸びており、前記リール軸の右端には歯固定盤が固定的に設置され、前記歯固定盤の外周面には一回りの環状ラックが固定的に設置され、前記環状ラックが前記歯止めと当接しており、前記回転盤を回転させることによって前記密封板が前記収納溝の中に移動し、また前記歯止めと前記環状ラックとの作用の下で位置を保持し、前記ラックの中には定位機構が設置され、前記定位機構はＧＰＳなどであり、スカイランタンが落ちた後、前記定位機構によって定位を行って更にスカイランタンを回収でき、それによって何度も利用でき、環境への汚染も減少できる。
【０００７】
好ましくは、前記ランプシェードの中には空気詰めチャンバが設置され、前記空気詰めチャンバの内壁にはチャージングバルブが設置され、チャージングバルブによって前記空気詰めチャンバの中にヘリウムガスなどの軽い気体を詰め、スカイランタンを打ち上げるのを補助する作用を果たす。
【発明の効果】
【０００８】
上記により、本発明はタイミング設定を行うことができ、指定された時間に達した後、燃焼チャンバを自動的に密封でき、それによって燃料が燃えることを停止し、スカイランタンが落ちた後に残された燃料のために火事を起こすことを回避し、しかも、本発明は定位機能を持ち、落ちた後に定位してスカイランタンを回収し、何度も利用でき、環境への汚染を減少する。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のスカイランタンの全体構成概略図
【図２】図２は図１の中のＡのところの構成概略図
【図３】図３は図２の中のＢ―Ｂのところの構成概略図
【発明を実施するための形態】
【００１１】
下記に、附図の簡単な説明と実施例を合わせて本発明についてさらなる説明を行い、本発明の方式は以下の実施例を含むが、以下の実施例に限定されたものではない。
【００１２】
図１〜３に示すように、本発明装置のスカイランタンは、ラック１４を含み、前記ラック１４は十字形であり、前記ラック１４の外端にはランプシェード１０が固定的に設置され、前記ラック１４の上端面には固定ブロック４０が固定的に設置され、前記固定ブロック４０の中には上方に開口した燃焼チャンバ３９が設置され、使用の時に、燃料を前記燃焼チャンバ３９の中に置いて燃焼させ、前記燃焼チャンバ３９の内壁の中には収納溝３８が設置され、前記収納溝３８が前記燃焼チャンバ３９と連通しており、前記収納溝３８の中には密封板３７がスライドできるように設置され、前記密封板３７と前記収納溝３８の内壁との間にはばね３５が連結され、前記ばね３５が初期状態の時に圧縮されており、前記固定ブロック４０の中にはぜんまいチャンバ２７が設置され、前記ぜんまいチャンバ２７の内壁には主動軸２８が回転できるように設置され、前記主動軸２８の一端が外部空間に伸びており、また前記主動軸２８の一端には第一回転盤４９が固定的に設置され、前記ぜんまいチャンバ２７の中にはぜんまい機構２９が設置され、前記主動軸２８が前記ぜんまい機構２９と伝動できるように連結され、前記ぜんまい機構２９のぜんまい出力軸３１には第一リール３０が固定的に設置され、前記第一リール３０には第一引き紐３２が巻き付くように設置され、前記ぜんまいチャンバ２７の後壁の中にはラックスライド溝２６が設置され、前記ラックスライド溝２６の中にはラック２５がスライドできるように設置され、前記第一引き紐３２の下端が前記ラック２５と固定的に連結され、前記固定ブロック４０の中には回転チャンバ５０が設置され、前記回転チャンバ５０の内壁の中には親ねじ３３が回転できるように設置され、前記親ねじ３３の一端が前記ぜんまいチャンバ２７の中に伸びており、且つ前記親ねじ３３の一端にはギヤ２４が固定的に設置され、前記ギヤ２４と前記ラック２５とが噛み合っており、前記回転チャンバ５０の底壁の中には上方に開口したスライド溝２２が設置され、前記スライド溝２２の中にはスライドロッド２１がスライドできるように設置され、前記スライドロッド２１の片側端面にはテーパーソケット２３が固定的に設置され、前記テーパーソケット２３の中にはネジ山チャンバ３４が設置され、前記親ねじ３３と前記ネジ山チャンバ３４とがネジ山によって嵌合され、前記スライドロッド２１のもう一つ側の端面には二組の挿入ロッド２０が固定的に設置され、前記回転チャンバ５０の前後内壁の間には中間ブロック１８が回転できるように設置され、前記中間ブロック１８の中には上下対称の挿入溝１９が設置され、前記挿入溝１９が前記挿入ロッド２０の方向に開口しており、前記挿入ロッド２０が前記挿入溝１９の中に挿入された後に前記中間ブロック１８の回転を制限し、前記中間ブロック１８の左側にはリール軸４１が伝動できるように連結され、前記リール軸４１には第二リール１６が固定的に設置され、前記第二リール１６には第二引き紐３６が巻き付くように設置され、前記第二引き紐３６の一端が前記収納溝３８の中に伸びており、且つ前記密封板３７と固定的に連結され、前記第一回転盤４９を回転させることによって前記ぜんまい機構２９にエネルギーを蓄積させ、また前記ラック２５を上昇させ、前記第一回転盤４９の回転の回数を制御することによって前記ラック２５の復帰時間を制御し、それによって前記挿入ロッド２０が前記挿入溝１９から離脱する時間を制御し、前記挿入ロッド２０が前記挿入溝１９から離脱した後、前記密封板３７が前記燃焼チャンバ３９を密封し、それによって燃料の燃焼の持続時間を制御することを実現し、スカイランタンが落ちた後に残された燃料のために火事を起こすことを回避する。
【００１３】
有益なように、前記リール軸４１の左端が外部空間に伸びており、また前記リール軸４１の左端には第二回転盤４２が固定的に設置され、前記中間ブロック１８の左端面には左方に開口した歯止め溝１７が設置され、前記歯止め溝１７の内壁の中には歯止めスライド溝４４が設置され、前記歯止めスライド溝４４の中には歯止め４６がスライドできるように設置され、前記歯止め４６と前記歯止めスライド溝４４の頂壁との間には押圧ばね４３が連結され、前記リール軸４１の右端が前記歯止め溝１７の中に伸びており、前記リール軸４１の右端には歯固定盤４７が固定的に設置され、前記歯固定盤４７の外周面には一回りの環状ラック４８が固定的に設置され、前記環状ラック４８が前記歯止め４６と当接しており、前記回転盤４２を回転させることによって前記密封板３７が前記収納溝３８の中に移動し、また前記歯止め４６と前記環状ラック４８との作用の下で位置を保持し、前記ラック１４の中には定位機構１３が設置され、前記定位機構１３はＧＰＳなどであり、スカイランタンが落ちた後、前記定位機構１３によって定位を行って更にスカイランタンを回収でき、それによって何度も利用でき、環境への汚染も減少できる。
【００１４】
有益なように、前記ランプシェード１０の中には空気詰めチャンバ１１が設置され、前記空気詰めチャンバ１１の内壁にはチャージングバルブ１２が設置され、チャージングバルブ１２によって前記空気詰めチャンバ１１の中にヘリウムガスなどの軽い気体を詰め、スカイランタンを打ち上げるのを補助する作用を果たす。
【００１５】
上記のスカイランタンの実現方法は、以下のステップを含む：
【００１６】
第一回転盤４９を回転させて主動軸２８によってぜんまい機構２９に力を蓄積させ、ラック２５が上昇してギヤ２４を回転させ、ギヤ２４が親ねじ３３を回連動させてテーパーソケット２３を左方へ運動させて挿入ロッド２０を挿入溝１９の中に挿し込み、第二回転盤４２を回転させて第二リール１６と、第二引き紐３６とによって密封板３７を収納溝３８の中に収納し、またばね３５を圧縮し、燃料を燃焼チャンバ３９の中に置いて燃え、この時、スカイランタンを打ち上げることができ、ぜんまい機構２９の弾性が完全に放出された後、ラック２５が復帰してギヤ２４を回転させ、それによって挿入ロッド２０が挿入溝１９の中から引き出し、密封板３７がばね３５の作用の下で燃焼チャンバ３９を密封し、燃焼チャンバ３９の中の燃料を燃焼させることを停止し、この時、スカイランタンが落ち始め、落ちた後に定位機構１３によって定位を行ってスカイランタンを回収することができる。
【００１７】
上記により、本発明はタイミング設定を行うことができ、指定された時間に達した後、燃焼チャンバを自動的に密封でき、それによって燃料が燃えることを停止し、スカイランタンが落ちた後に残された燃料のために火事を起こすことを回避し、しかも、本発明は定位機能を持ち、落ちた後に定位してスカイランタンを回収し、何度も利用でき、環境への汚染を減少する。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。